(57)【要約】【課題】  感光ドラムにクリーニングブレードを当接して残留トナーを回収する構成において、トナーが劣化することで、感光ドラムとクリーニングブレードの間のトナーの潤滑性が低下することを抑制する。【解決手段】  画像形成装置が、像担持体１と、現像剤担持体４ａを備える現像装置４と、像担持体１に接触する清掃部材６ａと、像担持体１から転写された現像剤像を記録材Ｐに転写するための回転可能な中間転写体７と、接触部において中間転写体７に接触可能に構成された接触部材１１と、接触部材１１に電圧を印可する電源１２と、像担持体１から中間転写体７に転写され、かつ接触部を通過した現像剤像を、像担持体１に供給する供給動作を実行する制御部１０を備える。供給動作は非画像形成時に実行される。供給動作において、接触部の下流側の現像剤像の電荷量と、上流側の電荷量とが異なる。【選択図】  図１
2019045650.tif 000002
【特許請求の範囲】
【請求項１】
画像形成ユニットであって、
静電潜像を担持する像担持体と、
前記静電潜像を現像する現像装置であって、現像剤を担持し、前記像担持体に現像剤像を形成するための現像剤担持体を備える現像装置と、
前記像担持体に接触する清掃部材と、
を備える画像形成ユニットと、
一次転写部において前記像担持体から転写された前記現像剤像を、二次転写部において記録材に転写するための回転可能な中間転写体と、
接触部において前記中間転写体に接触可能に構成された接触部材であって、前記中間転写体の回転方向において、前記二次転写部の下流側かつ前記一次転写部の上流側に配置された接触部材と、
前記接触部材に電圧を印可するための電源と、
前記像担持体から前記中間転写体に転写され、かつ前記接触部を通過した前記現像剤像を、前記中間転写体から前記像担持体と前記清掃部材の間に供給する供給動作を実行する制御部であって、前記記録材に前記現像剤像を転写するための画像形成動作が実行されない時に前記供給動作を実行する制御部と、
を備え、
前記供給動作における、前記接触部を通過した後の前記現像剤像の単位質量あたりの電荷量を下流側電荷量とし、前記接触部を通過する前の前記現像剤像の単位質量あたりの電荷量を上流側電荷量としたとき、前記下流側電荷量と前記上流側電荷量が異なるように、前記電源は前記接触部材に電圧を印加することを特徴とする画像形成装置。
【請求項２】
前記下流側電荷量の絶対値は、前記上流側電荷量の絶対値よりも小さいことを特徴とする請求項１に記載の画像形成装置。
【請求項３】
前記供給動作は、前記現像装置の累積使用量が所定量以上の時に実行されることを特徴とする請求項１または２に記載の画像形成装置。
【請求項４】
前記現像剤担持体に担持された前記現像剤の単位質量あたりの電荷量を現像電荷量とし、前記累積使用量が前記所定量より少ない第一の累積使用量である時に実行された前記画像形成動作における前記現像電荷量を第一の電荷量とした場合に、
前記第一の現像電荷量と前記下流側電荷量の差は、前記第一の現像電荷量と前記上流側電荷量の差よりも小さいことを特徴とする請求項３に記載の画像形成装置。
【請求項５】
前記現像剤担持体に担持された前記現像剤の単位質量あたりの電荷量を現像電荷量とし、前記累積使用量が前記所定量より少ない時に実行された複数の前記画像形成動作における前記現像電荷量の平均を平均電荷量とした場合に、
前記平均電荷量と前記下流側電荷量の差は、前記平均電荷量と前記上流側電荷量の差よりも小さいことを特徴とする請求項３に記載の画像形成装置。
【請求項６】
前記下流側電荷量の極性と、前記上流側電荷量の極性は、同じであることを特徴とする請求項１から５のいずれか１項に記載の画像形成装置。
【請求項７】
前記制御部は、前記供給動作を第一の頻度と前記第一の頻度と異なる第二の頻度で実行可能であることを特徴とする請求項１から６のいずれか一項に記載の画像形成装置。
【請求項８】
前記制御部は、前記現像剤の劣化状態が第一の劣化状態である時に、前記第一の頻度で前記供給動作を実行し、前記現像剤の劣化状態が第二の劣化状態である時に、前記第二の頻度で前記供給動作を実行することを特徴とする請求項７に記載の画像形成装置。
【請求項９】
前記制御部は、前記現像剤担持体の累積回転量が第一の累積回転量である時に、前記第一の頻度で前記供給動作を実行し、前記現像剤担持体の累積回転量が第二の累積回転量である時に、前記第二の頻度で前記供給動作を実行することを特徴とする請求項７に記載の画像形成装置。
【請求項１０】
前記電源は、前記接触部材に第一の電圧と前記第一の電圧と異なる第二の電圧を印可可能であることを特徴とする請求項１から７のいずれか一項に記載の画像形成装置。
【請求項１１】
前記電源は、前記現像剤の劣化状態が第一の劣化状態である時に、前記第一の電圧を前記接触部材に印加し、前記現像剤の劣化状態が第二の劣化状態である時に、前記第二の電圧を前記接触部材に印加することを特徴とする請求項１０に記載の画像形成装置。
【請求項１２】
前記電源は、前記現像剤担持体の累積回転量が第一の累積回転量である時に、前記第一の電圧を前記接触部材に印加し、前記現像剤担持体の累積回転量が第二の累積回転量である時に、前記第二の電圧を前記接触部材に印加することを特徴とする請求項１０または１１に記載の画像形成装置。
【請求項１３】
前記電源は、前記接触部材に直流電圧に交流電圧を重畳させた電圧を印加することを特徴とする請求項１から１２のいずれか一項に記載の画像形成装置。
【請求項１４】
前記画像形成ユニットは、前記画像形成ユニットの使用履歴に関する情報を記憶する記憶装置を備えることを特徴とする、請求項１から１３のいずれか一項に記載の画像形成装置。
【発明の詳細な説明】
【技術分野】
【０００１】
本発明は、電子写真方式或いは静電記録方式の画像形成装置に関するものである。
【背景技術】
【０００２】
電子写真技術を用いた画像形成装置では、現像剤（トナー）を収納した現像装置によって、像担持体（感光ドラム）に現像剤像（トナー像）を形成する。形成されたトナー像を記録材に転写することで記録材に画像を形成する。ここで、感光ドラム上のトナー像が記録材に転写された後に、感光ドラム上にトナーが残留する場合がある。そのため、感光ドラム上に残留したトナーを除去するための清掃部材（クリーニングブレード）が設けられている。
【０００３】
ここで、感光ドラムの表面の摩擦係数が上がると、クリーニングブレードによる清掃が不十分になる場合がある。また、クリーニングブレードと感光ドラムとが擦れることにより、異音が発生することがある。
【０００４】
そこで、クリーニングブレードと感光ドラムとが接触する部分にトナーを供給する構成がある（特許文献１）。この構成では、画像形成装置は４つのプロセスカートリッジを有し、潤滑性の良好な色のトナーを、プロセスカートリッジに設けられたクリーニングブレードに供給している。具体的には、画像形成装置は、潤滑性が良好な色のトナーが収納されるプロセスカートリッジから、潤滑性が良好な色のトナーを、他のプロセスカートリッジに設けられたクリーニングブレードに供給している。画像形成装置が、収納されるトナーの量が多いプロセスカートリッジから、収納されるトナーの量が少ないプロセスカートリッジに設けられたクリーニングブレードにトナーを供給する構成がある（特許文献２）。
【先行技術文献】
【特許文献】
【０００５】
【特許文献１】特開平１１−１９４６９０号公報
【特許文献２】特開２０１１−１５０３０４号公報
【発明の概要】
【発明が解決しようとする課題】
【０００６】
トナーは、電荷制御剤や顔料などを含む樹脂粒子に、潤滑剤や電荷制御剤などの無機微粒子である外添剤を添加することで構成される。トナーと、他の部品とが摺擦することによって外添剤が樹脂粒子に埋め込まれてしまうことがある。この現象は、いわゆるトナーの劣化と呼ばれる。トナーが劣化した状態では、クリーニングブレードと感光ドラムとが接触する部分に供給されるトナーの量が不足する場合がある。また、クリーニングブレードと感光ドラムとが接触する部分にトナーを供給しても、クリーニングブレードと感光ドラムとの摩擦を十分に低減できない場合がある。
【課題を解決するための手段】
【０００７】
上記課題を解決するため、本発明の一つは、以下のようなものである。
【０００８】
画像形成ユニットであって、
静電潜像を担持する像担持体と、
前記静電潜像を現像する現像装置であって、現像剤を担持し、前記像担持体に現像剤像を形成するための現像剤担持体を備える現像装置と、
前記像担持体に接触する清掃部材と、
を備える画像形成ユニットと、
一次転写部において前記像担持体から転写された前記現像剤像を、二次転写部において記録材に転写するための回転可能な中間転写体と、
接触部において前記中間転写体に接触可能に構成された接触部材であって、前記中間転写体の回転方向において、前記二次転写部の下流側かつ前記一次転写部の上流側に配置された接触部材と、
前記接触部材に電圧を印可するための電源と、
前記像担持体から前記中間転写体に転写され、かつ前記接触部を通過した前記現像剤像を、前記中間転写体から前記像担持体と前記清掃部材の間に供給する供給動作を実行する制御部であって、前記記録材に前記現像剤像を転写するための画像形成動作が実行されない時に前記供給動作を実行する制御部と、
を備え、
前記供給動作における、前記接触部を通過した後の前記現像剤像の単位質量あたりの電荷量を下流側電荷量とし、前記接触部を通過する前の前記現像剤像の単位質量あたりの電荷量を上流側電荷量としたとき、前記下流側電荷量と前記上流側電荷量が異なるように、前記電源は前記接触部材に電圧を印加することを特徴とする画像形成装置。
【発明の効果】
【０００９】
本発明によれば、劣化したトナーを用いた場合であっても、清掃部材（クリーニングブレード）と像担持体（感光ドラム）とが接触する部分に、現像剤（トナー）を供給できる。清掃部材（クリーニングブレード）と像担持体（感光ドラム）とが接触する部分における潤滑性の低下を抑制できる。
【図面の簡単な説明】
【００１０】
【図１】画像形成装置本体の概略説明図
【図２】潤滑層の説明図
【図３】第一の供給動作の流れ図
【図４】実施例１に係る、潤滑層の概略説明図
【図５】実施例１に係る、クリーニング検討の説明図
【図６】実施例１に係る、トナー劣化の概略説明図
【図７】実施例２に係る、クリーニング検討の説明図
【図８】実施例２に係る、トナー供給動作頻度の説明図
【図９】中間転写ベルトと中間転写ブラシを介したトナー供給動作の説明図
【発明を実施するための形態】
【００１１】
以下に図面を参照して、本発明の実施形態を例示する。ただし、実施形態に記載されている構成部品の寸法や材質や形状やそれらの相対配置などは、発明が適用される装置の構成や各種条件などにより適宜変更されるべきものであり、この発明の範囲を以下の実施形態に限定する趣旨ではない。
【実施例１】
【００１２】
実施例１に係る画像形成装置Ｓの画像形成動作について図１を用いて説明する。図１は、実施例１に係る画像形成装置の概略断面図である。
【００１３】
画像形成装置Ｓは、画像形成装置Ｓの装置本体１００と、画像形成ユニットとしてのプロセスカートリッジＣｙ・Ｃｍ・Ｃｃ・Ｃｋを有する。つまり、画像形成装置Ｓは、プロセスカートリッジＣを複数有している。プロセスカートリッジは、現像剤としてのトナーを用いて、後述する中間転写ベルトに、現像剤像としてのトナー像を転写する。そして、中間転写ベルトに転写されたトナー像は、記録材Ｐに転写される。
【００１４】
プロセスカートリッジＣｙは、イエローのトナー像を形成する。プロセスカートリッジＣｍは、マゼンダのトナー像を形成する。プロセスカートリッジＣｃは、シアンのトナー像を形成する。プロセスカートリッジＣｋは、ブラックのトナー像を形成する。
【００１５】
装置本体１００は、プロセスカートリッジが装着され、後述する中間転写体にトナー像を形成するためのステーションを備える。プロセスカートリッジＣｙが装着されるステーションを第１ステーションとする。プロセスカートリッジＣｍが装着されるステーションを第２ステーションとする。プロセスカートリッジＣｃが装着されるステーションを第３ステーションとする。プロセスカートリッジＣｋが装着されるステーションを第４ステーションとする。
【００１６】
本実施例において、プロセスカートリッジＣｙ〜Ｃｋは、収納されるトナーの色以外は同一の構成である。原則として、以下の記載では、プロセスカートリッジＣｙ〜Ｃｋで同一の部分については、添え字であるｙ〜ｋを省略してまとめて説明する。
【００１７】
なお、プロセスカートリッジの構成は、完全に同一である必要はない。例えば、ブラックのプロセスカートリッジの大きさが他のプロセスカートリッジの大きさより大きくてもよい。
【００１８】
また、本実施例では、画像形成ユニットであるプロセスカートリッジが画像形成装置の装置本体１００から着脱可能であるが、これに限定されない。
【００１９】
また、本実施例では、プロセスカートリッジが感光ドラムと、後述する現像装置と、クリーニング装置を一体的に備えている。しかし、感光ドラムと、現像装置と、クリーニング装置が、装置本体１００に対し個別に着脱可能な構成であってもよい。また、感光ドラムと、現像装置と、クリーニング装置の全部または一部が、装置本体１００に固定されている構成であってもよい。さらに、感光ドラムとクリーニング装置を備えた感光体カートリッジと、現像装置を備えた現像カートリッジと、を装置本体１００に着脱可能に構成してもよい。
【００２０】
（プロセスカートリッジ）
第１ステーションにおけるプロセスカートリッジＣｙを用いてプロセスカートリッジについて説明する。以下の説明では、添え字であるｙを省略して説明する。例えば、プロセスカートリッジＣｙを、プロセスカートリッジＣと呼ぶ。プロセスカートリッジＣの部材や、これに対応する装置本体１００側の部材も、同様に添え字ｙを省略する。
【００２１】
図１に示すように、プロセスカートリッジＣは、像担持体としての感光ドラム１と、帯電部材としての帯電ローラ２と、現像装置４と、クリーニング装置６とを有する。感光ドラム１には、静電潜像が形成される。感光ドラム１は、静電潜像を担持する。
【００２２】
感光ドラム１は、図１の矢印Ｒ１方向に回転する。感光ドラム１は、感光ドラム１に当接しながら従動回転する帯電ローラ２によって所定の電位に均一に帯電される。
【００２３】
一方、感光ドラム１の表面の残留トナーを回収するクリーニング装置６は、感光ドラム１に接触する清掃部材としてのクリーニングブレード６ａを備える。クリーニングブレード６ａは、ウレタンゴムで形成された弾性部を備える。クリーニングブレード６ａは、弾性部が感光ドラム１ｙ回転方向に対してカウンター方向から感光ドラム１ｙに当接するように、クリーニング装置６のクリーニング枠体に固定されている。
【００２４】
現像装置４は、現像剤としてのトナーＴを収納している。本実施例のトナーは、負帯電性の非磁性一成分トナーである。トナーは、樹脂粒子などからなる母体と、シリカなどの無機微粒子からなる外添剤とから構成されている。
【００２５】
また、現像装置４ｙは、回転可能な現像剤担持体としての現像ローラ４ａを有する。現像ローラ４ａは、トナーを担持する。現像ローラ４ａは、感光ドラム１に形成された静電潜像に、トナーを供給することにより、静電潜像を可視化し、感光ドラム１にトナー像を形成する。現像装置４は、現像ローラ４ａの表面に担持されたトナーに電荷を付与するため、現像ローラ４ａに当接している現像ブレード４ｂを有する。現像ブレード４ｂは、現像ローラ４ａの表面に担持されたトナーの厚みを規制する層厚規制部材である。現像ローラ４ａの回転方向において、感光ドラム１にトナー像を形成する部分の下流側に、封止シート４ｃが備えられている。
【００２６】
本実施例の現像剤は、非磁性一成分トナーであるが、これに限定されない。例えば、現像剤として、磁性一成分現像剤や、トナーとキャリアを混合した二成分現像剤を用いることができる。
【００２７】
また、本実施例では、感光ドラム１（１ｙ〜１ｋ）として直径３０ｍｍの負帯電特性のＯＰＣ（有機感光体）ドラムが使用されている。画像形成時には、不図示の駆動源により、感光ドラム１の表面は図１の矢印Ｒ１方向に向けて１００ｍｍ／ｓｅｃで回転する。
【００２８】
また、現像ローラ４ａの表面の速さ（周速）は、感光ドラム１の表面の速さ（周速）の１．４倍（１４０％）である。現像ローラ４ａによって感光ドラム１の静電潜像が現像される現像部において、現像ローラ４ａの表面が回転する方向と感光ドラム１の表面が回転する方向は、同じである。
【００２９】
また、プロセスカートリッジＣの使用履歴に関する情報を記憶する記憶装置６ｂ（メモリ）がクリーニング装置６に備え付けられている。画像形成装置の装置本体１００に設けられた制御部（ＣＰＵ）１０は、記憶装置６ｂに情報を書き込み、記憶装置６ｂに格納されている情報を参照する。
【００３０】
（画像形成装置の装置本体１００）
画像形成装置の装置本体１００について説明する。
【００３１】
装置本体１００は、各プロセスカートリッジの感光ドラム１を露光する露光装置としてのスキャナ３を備える。スキャナ３から発信されたレーザービームＬによって、感光ドラム１が露光される。そして、感光ドラム１の表面に静電潜像が形成される。そして、現像ローラ４ａが所望のタイミングで感光ドラム１に当接することで、感光ドラム１の表面にトナーが供給される。これにより、感光ドラム１の表面の静電潜像は顕在化され、感光ドラム１ｙの表面に現像剤像としてのトナー像が形成される。静電潜像の顕在化は、静電潜像の現像、静電潜像の可視化、とも呼ばれる。なお、露光装置として、複数の発光ダイオード（ＬＥＤ）で感光ドラム１を露光する構成を用いてもよい。
【００３２】
装置本体１００は、中間転写体としての中間転写ベルト７を備える。中間転写ベルト７は、図１の矢印Ｒ２方向に回転可能である。中間転写ベルト７は、一次転写部において感光ドラム１から転写されたトナー像を、二次転写部において記録材Ｐに転写する。
【００３３】
中間転写ベルト７の内側には、一次転写部材としての一次転写ローラ５（５ｙ〜５ｋ）が配置される。一次転写ローラ５の数は複数である。各感光ドラム１（１ｙ〜１ｋ）一つにつき、一つの一次転写ローラ５（５ｙ〜５ｋ）が設けられる。一次転写ローラ５は、中間転写ベルト７を介して、感光ドラム１に対向する。つまり、一次転写ローラ５と感光ドラム１は、中間転写ベルト７が一次転写ローラ５と感光ドラム１の間に挟まれるように配置されている。感光ドラム１と一次転写ローラ５に挟まれた領域で、感光ドラム１の表面のトナー像は、中間転写ベルト７に転写される。この領域を、一次転写部と呼ぶ。本実施例では、感光ドラムの数が複数なので、一次転写部の数も複数である。
【００３４】
中間転写ベルト７の外側には、二次転写部材としての二次転写ローラ１８が配置されている。中間転写ベルト７の内側には、二次転写ローラ１８に対向するように、二次転写対向部材としての二次転写対向ローラ８が配置されている。二次転写ローラ１８は、中間転写ベルト７を介して、二次転写対向ローラ８に対向する。つまり、二次転写ローラ１８と二次転写対向ローラ８は、中間転写ベルト７が二次転写ローラ１８と二次転写対向ローラ８の間に挟まれるように配置されている。二次転写ローラ１８と二次転写対向ローラ８に挟まれた領域で、中間転写ベルト７の表面のトナー像は、記録材Ｐに転写される。この領域を、二次転写部と呼ぶ。
【００３５】
装置本体１００は、中間転写ベルト７の表面のトナー像に接触可能な接触部材としての中間転写ブラシ１１を備える。中間転写ブラシ１１は、中間転写ベルト７に接触可能である。中間転写ブラシ１１は、中間転写ベルト７の表面のトナーに接触し、トナーの電荷量を変化させる。中間転写ベルト７と、中間転写ブラシ１１が接触する部分を、接触部と呼ぶ。中間転写ブラシ１１は、回転方向Ｒ２において、二次転写部の下流側、かつ一次転写部（最も上流側に位置する一次転写部）の上流側に配置されている。
【００３６】
装置本体１００は、電源１２を備える。本実施例では、電源１２は、一次転写ローラ５、二次転写ローラ１８、中間転写ブラシ１１、現像ローラ４ａ、帯電ローラ２に接続される。電源１２は、一次転写ローラ５、二次転写ローラ１８、中間転写ブラシ１１、現像ローラ４ａ、帯電ローラ２に電圧を印可する。なお、電源１２は、上述の部材以外の部材に接続され、電圧を印可してもよい。また、少なくとも一つの部材に接続される電源１２と、それ以外の部材に接続される電源１２が、異なっていてもよい。つまり、電源１２は複数でもよい。
【００３７】
装置本体１００は、制御部１０を備える。制御部１０は、後述する中間転写ベルト７と中間転写ブラシ１１を介さないトナー供給動作と、中間転写ベルト７と中間転写ブラシ１１を介したトナー供給動作とを行う。本実施例では、制御部１０は、後述する記録材への画像形成動作を行う。制御部１０は、プロセスカートリッジに動力を伝える駆動源、上述した各電源、露光装置などの各部材の動作を制御する。なお、制御部１０は、上述の部材以外の部材を制御してもよい。また、制御部は一つである必要はない。少なくとも一つの部材を制御する制御部と、それ以外の部材を制御する制御部が、異なっていてもよい。
【００３８】
装置本体１００は、記録材Ｐにトナー像を定着させるための定着ローラ９を備えた、定着装置を有する。
【００３９】
（記録材への画像形成動作）
記録材への画像形成動作について説明する。
【００４０】
感光ドラム１の表面が、負極性の電圧が印加された帯電ローラ２によって負極性に帯電させられる。そして、スキャナ３によって、感光ドラム１の表面がレーザ光によって露光される。本実施例では、帯電ローラ２によって帯電させられた感光ドラム１の表面電位は、およそ−５００Ｖ（暗部電位）である。そして、スキャナ３によって露光された部分の表面電位は、およそ−１００Ｖ（明部電位）である。
【００４１】
現像ローラ４ａの表面には、負極性に帯電させられ、かつ現像ブレード４ｂによって厚みの規制されたトナー（トナー層）が担持されている。また、現像ローラ４ａに現像電圧（現像バイアス）として、およそ−３００Ｖの直流電圧が印加されている。
【００４２】
上述したように、現像ローラ４ａの表面のトナーの電荷量の極性は、負極性である。現像ローラ４ａが感光ドラム１と接触することで、現像ローラ４ａの表面のトナーは、明部電位を有する部分に移動する。そして、感光ドラム１の表面に、トナー像が形成される。
【００４３】
一次転写ローラ５には、一次転写電圧として、正極性の電圧が印加される。本実施例では＋３００Ｖの直流電圧が印可される。そして、感光ドラム１の表面のトナー像は、感光ドラム１から中間転写ベルト７の表面に一次転写される。感光ドラム１から中間転写ベルト７の表面に転写されたトナー像は、一次転写部から矢印Ｒ２の方向に搬送される。
【００４４】
一方、一次転写部において、中間転写ベルト７に転写されずに感光ドラム１の表面に残留した残留トナー（一次残留トナー）は、クリーニングブレード６ａによって除去される。このとき、一次残留トナーの一部は、感光ドラム１とクリーニングブレード６ａの当接部分にとどまり、後述する潤滑層を形成する。それ以外の一次残留トナーは、クリーニング装置６に備えられた残トナー収納部に回収される。
【００４５】
プロセスカートリッジＣｍ〜Ｃｋも同様にトナー像を形成する。プロセスカートリッジＣｙ〜Ｃｋによって形成されたトナー像は、互いに重なり、中間転写ベルト７の表面に転写される。
【００４６】
中間転写ベルト７に転写されたトナー像が二次転写部に到達する前に、不図示の搬送装置により、二次転写部には記録材Ｐが搬送される。そして、二次転写ローラ１８に、二次転写電圧として、正極性の電圧が印加される。これにより、中間転写ベルト７の表面に転写されたトナー像は、記録材Ｐに転写される。
【００４７】
すなわち、中間転写ベルト７は、感光ドラム１に形成されたトナー像を受け取り、受け取ったトナー像を紙などの記録材Ｐに転写する。中間転写ベルト７に受け取られたトナー像は、二次転写部で記録材Ｐに転写される。
【００４８】
なお、本実施例では二次転写ローラ１８に、正極性の電圧を印可したが、中間転写ベルト７の内側に設けられた二次転写対向ローラ８に、負極性の電圧を印可するものであってもよい。
【００４９】
トナー像が転写された記録材Ｐは、定着ローラ９によって加熱される。これにより、記録材Ｐにトナー像が定着する。
【００５０】
本実施例では、一次転写部材として、一次転写ローラを用いていた。しかし、本発明はこれに限定されない。中間転写ベルトに現像剤像を一次転写できるように、二次転写ローラや二次転写対向ローラから中間転写ベルトに電位を付与する構成でもよい。この場合、一次転写ローラを省略できる。なお、この際も、感光ドラム１から中間転写ベルト７にトナー像が転写する部分が、一次転写部である。
【００５１】
（中間転写ベルトの清掃）
中間転写ベルトから記録材Ｐにトナー像が転写された後、中間転写ベルト７の表面に、残留トナー（二次残留トナー）としてトナーが残る場合がある。中間転写ベルト７の表面の二次残留トナーを清掃する目的で、中間転写体の２次転写部材が当接する箇所の回転方向下流に清掃部材が設けられる。
【００５２】
本実施例では、接触部材として、ブラシ状の部材やローラ状の部材を中間転写ベルトに対し当接して、電圧を印加する（バイアスをかける）。そして、二次残留トナーを除電する、または二次残留トナーの電荷が、所望の電荷となるようにコントロールする。そして、二次残留トナーの一部を、接触部材に一時的に貯留する。その他の二次残留トナーを、感光ドラムへ電気的に回収させる。これにより、中間転写体上の残留トナーが清掃される。
【００５３】
図１に示すように、回転方向Ｒ２において、二次転写部の下流側に、中間転写ブラシ１１が当接している。中間転写ブラシ１１によって、二次残留トナーの電荷をコントロールした後、一次転写部で中間転写ベルト７から感光体ドラム１へ戻す。戻された二次残留トナーは、感光ドラム１とクリーニングブレード６ａの間に供給され、クリーニングブレード６ａによってクリーニングされる。
【００５４】
記録材Ｐへの画像形成中に、中間転写ベルト７を清掃する方法について説明する。二次転写部において、記録材Ｐに転写されることなく、中間転写ベルトに残留した二次残留トナーは、正極性に帯電したトナーを多く含む。つまり、二次残留トナーの単位質量あたりの電荷量の極性は、正極性である。
【００５５】
一方、中間転写ブラシ１１には正極性の電圧が印加されている。こうすると、二次残留トナーのうち、負極性に帯電したトナーは、中間転写ブラシ１１と中間転写ベルト７との接触部において中間転写ブラシ１１に貯留される。一方、正極性に帯電したトナーは、接触部を通過して、一次転写部に向かう。
【００５６】
画像形成動作中、中間転写ベルト７にトナー像を形成するために、一次転写ローラ５には、正極性の電圧が印加されている。この部分に正極性の電荷を有する二次残留トナーが到達すると、二次残留トナーは中間転写ベルト７から感光ドラム１に移動する。そして、戻された二次残留トナーは、一次残留トナーと共に、クリーニング部材６ａで清掃される。
【００５７】
なお、上述の各部材の電圧や電荷の極性は一例にすぎない。トナー像を形成するトナーの極性によって、それぞれの部材に印加される電圧の極性は、適宜設定される。
【００５８】
（クリーニングブレードへのトナー供給）
画像形成動作を行っていないときに、クリーニングブレード６ａにトナーを供給する動作について説明する。本実施例では、画像形成動作とは別に、クリーニングブレード６ａにトナーを供給する動作をトナー供給動作と呼ぶ。
【００５９】
上述したように、画像形成動作においても、クリーニングブレード６ａと感光ドラム１の間には、トナーが供給される。本実施例では、上述した画像形成動作とは別に、画像形成動作を実行しない期間（非画像形成時）にトナー供給動作を実行する。これにより、クリーニングブレード６ａと感光ドラム１との摩擦力をさらに低下させることができる。
【００６０】
本実施例では、感光ドラム１の周方向における感光ドラム１表面の移動距離ａによって、トナー供給動作を実行するタイミングを決定する。ここで、感光ドラム１表面の移動距離ａとは、具体的には、感光ドラム１の外周面における特定の位置が感光ドラム１の周方向に移動した距離である。なお、感光ドラム１の表面の移動距離は走行距離とも呼ばれる。移動距離ａの積算値が、所定の閾値（供給動作閾値）に到達したら、トナー供給動作を行う。トナー供給動作が行われたら、移動距離ａの積算値をリセットまたは減少させ、再度積算を開始する。
【００６１】
非画像形成時におけるトナー供給動作は、画像形成動作が終了した後の所定の期間内で実行される。画像形成動作が終了した後において、所定の期間、メインモータを継続して駆動させることで感光ドラム１を回転させる（後回転動作）。この期間においてトナー供給動作が実行される。
【００６２】
（中間転写ベルトを介さないトナー供給動作）
中間転写ベルト７と中間転写ブラシ１１を介さないトナー供給動作について説明する。後述する中間転写ベルト７と中間転写ブラシ１１を介したトナー供給動作と区別するために、中間転写ベルト７と中間転写ブラシ１１を介さないトナー供給動作を、第二の供給動作と呼ぶ。後述する中間転写ベルト７と中間転写ブラシ１１を介したトナー供給動作を、第一の供給動作と呼ぶ。
【００６３】
第二の供給動作では、画像形成動作時と同様に、感光ドラム１の表面にトナー像が形成される。本実施例では、この時のトナー像は、感光ドラム１の表面に一様に形成された画像、いわゆるベタ画像である。そして、ベタ画像が形成されたプロセスカートリッジＣのクリーニングブレード６ａにこのトナー像を供給する。
【００６４】
第二のトナー供給動作においては、感光ドラム１上のトナー像が中間転写ベルト７の表面に転写されることを防ぐ必要がある。そこで、第二のトナー供給動作を実施する場合、一次転写部を感光ドラムから離間させる。別の方法として、一次転写部と感光ドラム１を当接させた状態で、一次転写部材に負極性の電圧を印可してもよい。つまり、画像形成時に一次転写ローラ（５ｙ〜５ｋ）に印加される電圧と逆極性の電圧を一次転写ローラに印加してもよい。これにより、感光ドラム１の表面に形成されたトナー像が、中間転写ベルト７に転写されずに、クリーニングブレード６ａに供給される。
【００６５】
ここでは現像装置４（現像ローラ４ａ）から、中間転写ベルト７を介さずに、直接感光ドラム１にトナーを供給する方法を説明した。
【００６６】
別のトナー供給方法として、以下のような方法もある。中間転写ベルト７の回転方向Ｒ２で、上流側に位置するプロセスカートリッジにおいて、感光ドラム１に現像装置４からトナー（トナー像）を供給する。そして、一次転写部で中間転写ベルト７に転写する。そして、下流側に位置するプロセスカートリッジにおいて、一次転写部に、画像形成動作とは逆の電圧を印可して、感光ドラム１にトナーを供給してもよい。すなわち、二次転写部の上流側で、トナー像が、感光ドラム１に供給されるものであってもよい。
【００６７】
（トナー供給動作と潤滑性）
トナーの潤滑性に関して、図２を用いて説明する。図２（ａ）は、感光ドラム１とクリーニングブレード６ａが当接する部分の概略断面図である。図２（ｂ）は、図２（ａ）におけるクリーニングブレード６ａと感光ドラム１の当接面（破線の部分）を拡大した図である。図２（ａ）においてクリーニングブレード６ａは感光ドラム１の回転方向（矢印）に対しカウンター方向に当接されている。
【００６８】
感光ドラム１上のトナーをクリーニングする際、クリーニングブレード６ａの近傍および感光ドラム１とクリーニングブレード６ａとで形成される当接面に、トナーや外添剤が掻き取られる。これにより、クリーニングブレード６ａ近傍にトナーが滞留する。トナーの一部は廃トナーとしてクリーニング装置６の回収容器内へ回収される。その他のトナーは、クリーニングブレード６ａと感光ドラム１との界面に滞留する。クリーニングブレード６ａと感光ドラム１との界面に滞留したトナーは、クリーニングブレード６ａと感光ドラム１の間の潤滑性を向上させる効果（潤滑効果）を発揮している。また、潤滑効果を発揮できている滞留状態を、感光ドラム１の軸線方向に沿って観察した場合、滞留したトナーは図２に示すようなクサビ状になっている場合が多い。本実施例では、クサビ状のように滞留したトナーを潤滑層と呼んでいる。
【００６９】
トナーは、電荷制御剤や顔料などを含む樹脂粒子に、潤滑剤や電荷制御剤などの無機微粒子である外添剤を添加されている。潤滑層２０３の主要な構成要素は、外添剤成分である。潤滑層２０３が形成されている場合、感光ドラム１とクリーニングブレード６ａの間の潤滑性が向上する。さらに、潤滑層２０３は、感光ドラム１とクリーニングブレード６ａの当接面にトナーが侵入することを防ぎ、クリーニング性能を補助している。
【００７０】
潤滑層は画像形成動作での一次転写における一次残留トナーによって形成されやすい。しかし、一次残留トナーが少ない場合や、外添剤が減少する要因が発生した際には、潤滑層が減少する。潤滑層が消失する場合もある。
【００７１】
そこで、一次残留トナーが少ない場合は、上述した第二のトナー供給動作を行うことで、潤滑層を形成するトナーや外添剤を供給し、潤滑層の減少を補うとともに潤滑層の形成を維持する。
【００７２】
（トナーの劣化の影響）
トナーは、電荷制御剤や顔料などを含む樹脂粒子に、潤滑剤や電荷制御剤などの無機微粒子である外添剤を添加されている。現像ブレード４ｂとトナーとが摺擦することによって外添剤が樹脂粒子に埋め込まれてしまうことがある。この現象は、トナーの劣化と呼ばれる。トナーが劣化していない状態では、トナーの潤滑性が維持される。しかし、トナーが劣化した状態では、トナーの潤滑性は低下してしまう。トナーの潤滑性が低下すると、クリーニングブレード６ａと感光ドラム１との間にトナーを供給しても、クリーニングブレード６ａと感光ドラム１との間に生じる摩擦を十分に抑えることができない場合がある。
【００７３】
画像形成を行うことで、プロセスカートリッジ内のトナーは変化する。特に、現像ブレード４ｂと現像ローラ４ａの間で、トナーが摺擦されることによる変化が大きい。また、トナーの状態の変化（以下、単にトナーの変化と称する）の主なものとして、外添剤などの微粒子がトナー本体から脱落すること、外添剤などの微粒子がトナー本体に埋没することが挙げられる。このような変化が起きた際の物性変化としては、トナーの帯電量が変化し、大きくなる場合がある。これにより、トナー同士の凝集性の上昇を生じる。
【００７４】
上述したように、現像ブレード４ｂと現像ローラ４ａの間での摺擦が、トナーの変化を生じさせる大きな要因である。したがって、現像ローラ４ａの回転数（プロセスカートリッジＣの使用が開始されてからの累積回転数）が、トナーの変化の指標の一つとなる。しかし、トナーの変化は、現像装置の現像容器内のトナーの量にも依存する。現像容器内のトナーの量によって、トナーが摺擦される機会が異なるためである。つまり、トナーの変化は現像ローラの４ａの累積回転数と、トナーの量の影響を受ける。図６にトナーの変化と現像ローラ４ａの回転数（累積回転数）とトナー量との模式図を示す。図６において、領域１は現像ローラ４ａの回転数が少なく、トナー量が多い。領域１では、トナーの変化は比較的軽微である。逆に領域４は現像ローラ４ａの回転数が多く、トナー量も少ない。したがって、トナーの変化が非常に大きい。領域２と領域３とは現像ローラ４ａの回転数やトナー量は異なるもののトナーの変化としては同等の状態である。以上説明した、トナーの変化を一般的にはトナー劣化と呼んでいる。
【００７５】
感光ドラム１とクリーニングブレード６ａの間に、現像装置４から直接トナー供給を行う場合、トナー劣化に伴い潤滑層の形成が不安定になる場合があることが分かった。具体的には、トナー劣化によってトナーの帯電性能が変化し、トナーの帯電量の増加やトナーの凝集性の上昇が生じる。トナーの凝集性の上昇やトナーの帯電量が増加することで、感光ドラム１に対する付着力が増加する。その結果、クリーニングする際にトナーが潤滑層の内部まで侵入し易くなる。トナーが潤滑層の内部まで侵入し易くなると、潤滑層が破壊される。そして、クリーニング不良に伴うスジ状の画像が、記録材Ｐに現れたり、潤滑性が低下することによって異音が発生したりすることが分かった。
【００７６】
また、トナー劣化によって、潤滑層の形成が不安定になると、トナー供給動作の量や頻度を増加させたとしても、潤滑層を維持する効果が得られにくいことが分かった。
【００７７】
なお、本実施例におけるトナーで、感光ドラム１へトナー像を形成するときの現像ローラ４ａの表面のトナーの単位質量あたりの電荷量を測定した。新品時の単位質量あたりの電荷量は−３０μＣ／ｇであった。これに対し、プロセスカートリッジの使用可能量の末期まで使用を重ねた場合、トナーの単位質量あたりの電荷量は−６０μＣ／ｇとなった。
【００７８】
（中間転写ベルトと中間転写ブラシを介したトナー供給動作）
劣化したトナーであっても、クリーニングブレード６ａに供給する際に、電荷量をコントロールすることで、潤滑層を安定して形成できる。
【００７９】
トナーが劣化した際にも潤滑層を維持するため、中間転写ベルト７と中間転写ブラシ１１を介した第一の供給動作を行う。所定の電圧が印加された中間転写ブラシ１１を、中間転写ベルト７の表面のトナー像に接触させることで、トナーの帯電電荷量をコントロールする。そして、帯電電荷量のコントロールを行ったトナーを、感光ドラムとクリーニングブレードとの当接部に供給する。これにより、潤滑層が形成されるとともに、潤滑効果を維持することができる。そして、クリーニング不良によるスジ画像や潤滑性の低下による異音を防止することができる。
【００８０】
以下、本発明の特徴部分である、中間転写ベルト７と中間転写ブラシ１１を介した第一の供給動作（供給動作に相当する）について説明する。
【００８１】
以下に述べる第一の供給動作において、トナー像は、感光ドラム１から中間転写ベルト７に転写され、かつ接触部を通過し、中間転写ベルト７から感光ドラム１とクリーニングブレード６ａの間に供給される。
【００８２】
第一の供給動作は、制御部１０によって実行される。第一の供給動作は、記録材Ｐにトナー像を転写するための画像形成動作や、画像形成条件の補正動作（たとえば濃度補正、スキャナと感光ドラムの位置関係の補正等）が実行されない時に実行される。
【００８３】
上述したように、画像形成装置は、感光ドラム１の移動距離ａの積算値が、所定の閾値に達したときに、トナー供給動作を行う。このとき、第一の供給動作、第二の供給動作のいずれかが実行される。
【００８４】
本実施例では、現像装置４の累積使用量が所定量以上の時に、第一の供給動作が行われるようにした。現像装置４の累積使用量としては、現像ローラ４ａの累積回転数、現像装置４の駆動時間（累積駆動時間）、現像装置４を使用して印刷した記録材Ｐの累積枚数などが含まれる。また、感光ドラム１の累積回転数が、所定量以上の時に第一の供給動作を実行してもよい。
【００８５】
本実施例では、現像装置４を使用して印刷できる記録材の枚数を、Ａ４（２１０×２９７ｍｍ）換算で３００００枚としたときに、累積枚数が１００００枚以上となった時に、定期的に、第二の供給動作に替えて第一の供給動作が実行されるようにした。
【００８６】
ただし、第一の供給動作が開始されるタイミングは、これに限られるものではない。感光ドラム１とクリーニングブレード６ａの潤滑が不十分となる前に、第一の供給動作が開始されればよい。例えば、第二の供給動作のみで印刷を続けて、いつ潤滑が不十分となるかをあらかじめ確認し、第一の供給動作を開始するタイミングを定めることができる。
【００８７】
なお、第一の供給動作が実行されるタイミングは適宜選択することができる。例えば、現像装置の累積使用量などが所定量を上回った時には、第一の供給動作のみが行われるものであってもよい。また、第一の供給動作と第二の供給動作とが、交互に実行されるものでもよい。第一の供給動作と第二の供給動作とが、所定の割合で実行されるものであってもよい。さらに、第一の供給動作と、第二の供給動作が実行される割合は、現像装置の累積使用量に応じて増減するものであってもよい。つまり、現像装置の累積使用量が多い時の第一の供給動作の実行頻度が、累積使用量が少ない時の第一の供給動作の実行頻度よりも多くなるようにしてもよい。
【００８８】
図９を用いて、第一の供給動作の概略を説明する。図９は、感光ドラム１の軸線１ａに直交する方向から見た、中間転写ベルトと中間転写ブラシを介したトナー供給動作の説明図である。図９は、関連する部材を平面上に並べた形で描かれている。
【００８９】
図９は、感光ドラム１（１ｓ）に形成されたトナー像Ｔｚが、中間転写ベルト７でＲ２方向に搬送され、中間転写ブラシ１１を通過し、供給対象の感光ドラム１（１ｅ）とクリーニング部材６ａに供給される状態を示している。なお、後述するように、感光ドラム１ｓと１ｅは、同じであってもよいし、異なっていてもよい。
【００９０】
まず、現像装置４によって、感光ドラム１（１ｓ）の表面にトナー像Ｔｚを形成する。そして、一次転写部において、感光ドラム１に形成されたトナー像Ｔｚを、中間転写ベルト７に転写する。中間転写ベルト７に転写されたトナー像は、中間転写ベルト７の回転によって、図１、９の矢印Ｒ２方向に搬送される。搬送されたトナー像Ｔｚが、二次転写部を通過する。二次転写部を通過したトナー像Ｔｚが、電源１２から電圧を印可された中間転写ブラシ１１と中間転写ベルト７の接触部を通過する。接触部を通過したトナー像Ｔｚが、トナー像Ｔｚを供給する対象であるプロセスカートリッジの感光ドラム１（１ｅ）に一次転写部から供給される。一次転写部から供給されたトナー像Ｔｚは、感光ドラム１（１ｅ）とクリーニングブレード６ａの当接部に供給される。
【００９１】
電源１２から電圧を印可された中間転写ブラシ１１によって、中間転写ベルト７のトナー（トナー像）が摺擦されると、トナーが持つ電荷量を変化させることができる。すなわち、第一の供給動作において、接触部を通過した後のトナー像の単位質量あたりの電荷量を下流側電荷量とし、接触部を通過する前のトナー像の単位質量あたりの電荷量を上流側電荷量とする。このとき、トナー像と中間転写ブラシ１１が接触することで、下流側電荷量と上流側電荷量が異なる。
【００９２】
上述したように、トナーが劣化すると、トナー像の帯電量が増加する場合がある。トナー像の帯電量が高すぎると、潤滑層の形成に影響する。この場合には、下流側電荷量の絶対値が、上流側電荷量の絶対値よりも小さくなるように、中間転写ブラシ１１に電源１２から電圧が印加され、トナー像の電荷量がコントロールされる。
【００９３】
また、トナーの材質や劣化具合によっては、トナーの帯電量が減少する場合がある。トナー像の帯電量が低すぎると、中間転写ベルト７から感光ドラム１にトナーが十分に供給されない。この場合には、下流側電荷量の絶対値が、上流側電荷量の絶対値よりも大きくなるように、中間転写ブラシ１１に電源１２から電圧が印加され、トナー像の電荷量がコントロールされる。
【００９４】
本実施例において、第一の供給動作において、下流側電荷量の極性と、上流側電荷量の極性は、同極性であり、負極性である。また、下流側電荷量の絶対値が、上流側電荷量の絶対値よりも小さくなるように、中間転写ブラシ１１に電源１２から電圧が印加され、トナー像の電荷量がコントロールされる。
【００９５】
第一の供給動作において、中間転写ベルト７から感光ドラム１に供給されるトナーの電荷量は、劣化の程度が小さい状態のトナーの電荷量に近いことが望ましい。すなわち、下流側電荷量が、劣化の程度が小さい状態のトナーの電荷量と近くなるように、中間転写ブラシ１１で電荷量を変化させることが望ましい。
【００９６】
下流側電荷量として、望ましい電荷量について説明する。現像ローラ４ａに担持されたトナーの単位質量あたりの電荷量を、現像電荷量と呼ぶものとする。そして、現像装置４の累積使用量が、第一の供給動作が行われる所定量より少ない第一の累積使用量であるときに、画像形成動作を実行したとする。このときの現像電荷量を、第一の電荷量とする。なお、ここでいう現像ローラ４ａに担持されたトナーとは、現像ローラ４ａの回転方向において、現像ブレード４ｂの下流側、かつ封止シート４ｃの上流側で、現像ローラ４ａに担持されたトナーである。
【００９７】
本実施例では、第一の供給動作では、電源１２が中間転写ブラシ１１に電圧を印可することで、第一の電荷量と下流側電荷量との差が、第一の電荷量と上流側電荷量との差よりも小さくなるようにした。
【００９８】
なお、下流側電荷量の目標は、必ずしも上述のものに限られない。例えば、現像装置４の累積使用量が、第一の累積使用量より少ない第二の累積使用量である時の現像電荷量を第二の電荷量とする。このとき、第一の電荷量と第二の電荷量の平均と下流側電荷量の差が、第一の電荷量と第二の電荷量の平均と上流側電荷量の差よりも小さくなるようにしてもよい。
【００９９】
また、現像装置４の累積使用量が、第一の供給動作が行われる所定量より少ないときに、画像形成動作を複数回行う。さらに、それぞれの画像形成動作における現像電荷量を求める。そして、それぞれの現像剤電荷量の平均を、平均電荷量とする。このとき、平均電荷量と下流側電荷量の差が、平均電荷量と上流側電荷量の差よりも小さくなるようにしてもよい。
【０１００】
なお、第一の電荷量、第二の電荷量、平均電荷量を定めるにあたっては、現像装置４が新しい状態が望ましい。また、現像装置４の使用開始直後は、現像ローラ４ａに担持されたトナーの電荷量が安定しない場合がある。この場合は、しばらくの間（たとえば１０００枚、または使用可能量の３％程度）画像形成動作を続け、電荷量の変動が小さくなった後に、各電荷量を定めてもよい。
【０１０１】
本実施例では、現像装置４が印刷可能な記録材の枚数（Ａ４換算）が３００００枚としたときに、１０００枚から３０００枚以内（使用可能量の１０％未満）を、初期状態とした。そして、初期状態で行った画像形成動作で、現像電荷量を測定し、下流側電荷量の目標である上述の第１の電荷量を定めた。同様の手法で、第二の電荷量や、平均電荷量を求めることもできる。
【０１０２】
下流側電荷量は、電源１２が中間転写ブラシ１１に印加する電圧に応じて変わる。したがって、下流側電荷量が所望の値になるように、電源１２から中間転写ブラシ１１に電圧を印可する。このとき、現像装置４の累積使用量、上流側電荷量、下流側電荷量、電源１２が印加する電圧、の間の関係をあらかじめ求め、印可する電圧の大きさ等を決めてもよい。また、装置本体１００に、上流側電荷量、下流側電荷量を測定または推測する手段を備え、測定結果または推定結果をもって、電源１２が印加する電圧が変化するものであってもよい。
【０１０３】
本実施例では、所望の電荷量が得られる電圧の大きさをあらかじめ求めておき、第一の供給動作時に、電源１２から中間転写ブラシ１１に所定の電圧が印可されるようにした。これにより、プロセスカートトリッジ（特に現像装置）の使用可能量を通じて、下流側電荷量が所望の値になるようにした。
【０１０４】
なお、図９に示したように、感光ドラム１とクリーニングブレード６ａの間の潤滑性を改善するために、トナー像は感光ドラム１の軸線方向（クリーニングブレードの長手方向と同じ）の広範囲に亘ることが望ましい。本実施例のトナー像は、感光ドラム１の軸線方向において、感光ドラム１の一端部から、感光ドラム１の中央部を含め、他端部に向けて延びるトナー像とした。ただし、これに限定されるものではない。トナー像は、感光ドラム１の軸線方向と平行である必要はない。また、中間部にわずかに隙間があるようなトナー像であってもよい。回転方向Ｒ２にそって、複数あってもよい。また、第一の供給動作を複数回行うものとして、その時々の第一の供給動作のトナー像を重ねたときに、感光ドラム１の一端部から、感光ドラムの中央部を含め、他端部に向けて延びるトナー像が形成されるものでもよい。
【０１０５】
（第一の供給動作の流れ）
上述した本実施の構成の動作概要を図３の流れ図を用いて説明する。
【０１０６】
（第一の供給動作の開始：３０１）
潤滑層を形成するための第一の供給動作の実行が要求され動作が開始される。
【０１０７】
（感光ドラムの表面へのトナー像形成：３０２）
現像装置４から感光ドラム１へトナーが供給（現像）される。本実施例では、上述した画像形成動作と同様の動作を行う。すなわち、感光ドラム１を帯電ローラ２で帯電した後、スキャナ３によって感光ドラム１の表面に、潜像（明部電位）を形成する。そして、その部分に現像ローラ４ａを接触させることで、感光ドラム１の表面にトナー像を形成する。なお、記録材Ｐへの画像形成時と、第一の供給動作時の電圧を、異なる電圧にすることもできる。
【０１０８】
（中間転写ベルトへの転写：３０３）
感光ドラム１の表面のトナー像が、一次転写部で中間転写ベルト７に一次転写される。ここでは、画像形成動作と同様の動作が行われる。なお、記録材Ｐへの画像形成時と、第一の供給動作時の電圧を、異なる電圧にすることもできる。
【０１０９】
（下流側ステーション、二次転写部の通過：３０４）
中間転写ベルト７に一次転写されたトナー像を、下流側にある他のステーションを通過させる。つまり、トナー像が、下流側にある他のステーションの一次転写部で、中間転写ベルト７から感光ドラム１に移動することを抑制する。
【０１１０】
例えば、下流側のステーションの感光ドラム１と一次転写部を、離間機構によって離間する。または、下流側の一次転写ローラ５１に、トナー像と逆極性（この場合は正極性）の電圧を印可する。これにより、下流側のステーションで、中間転写ベルト７から感光ドラム１にトナー像が供給されることが抑制される。
【０１１１】
次に、トナー像に二次転写部を通過させる。つまり、トナー像が、二次転写部において中間転写ベルト７から二次転写ローラ１８に移動することを抑制する。
【０１１２】
たとえば、二次転写ローラ１８と中間転写ベルト７を、離間機構によって離間する。または、二次転写ローラ１８に、トナー像と同極性（この場合は負極性）の電圧を印可する。これにより、中間転写ベルト７から二次転写ローラ１８にトナー像が移動することが抑制される。なお、電源１２を二次転写対向ローラ８に接続し、トナー像と逆極性（この場合は正極性）の電圧を印可してもよい。
【０１１３】
（中間転写ブラシによる接触：３０５）
二次転写部を通過したトナー像に対して、電圧が印可された中間転写ブラシ１１を接触させて、トナーの帯電電荷量をコントロールする。
【０１１４】
（上流側のステーションの通過：３０６）
中間転写ベルト７から感光ドラム１にトナー像が供給されるプロセスカートリッジＣが装着されたステーションに対して、回転方向Ｒ２で上流側に、他のプロセスカートリッジが装着されたステーションがある場合がある。この場合、トナー像は上流側のステーションを通過する必要がある。つまり、上流側のステーションでは、中間転写ベルト７から感光ドラム１に、トナー像が移動しないようにする。
【０１１５】
例えば、接触部を通過したトナー像が、上流側のステーションに到達する時には、その上流側の一次転写ローラ５を感光ドラム１から離す。そして、一次転写部と感光ドラム１を離間させる。または、上流側のステーションの一次転写ローラ５に、トナー像の電荷量の極性と逆極性の電圧（この場合は正極性）を印可する。これにより、上流側のステーションでは、可能な限りトナー像が移動しないようにできる。
【０１１６】
（感光ドラムへの転写：３０７）
潤滑層が形成されるステーションの一次転写部で感光ドラム１にトナー像を転写する。潤滑層が形成されるステーションの一次転写部に、電荷コントロールしたトナーが到達した際、中間転写ベルト７から感光ドラム１へトナーが再転写できるようにする。例えば一次転写部に、トナーと同じ極性（この場合は負極性）の電圧を印加する。これにより、中間転写ベルトからのトナー供給を行うことができる。
【０１１７】
（クリーニングブレードへの供給：３０８）
感光ドラム１の回転によって、中間転写ベルト７から転写されたトナーを、感光ドラム１とクリーニングブレード６ａの間に供給する。これにより、感光ドラム１とクリーニングブレード６ａの間に潤滑層の形成を行う。
【０１１８】
以上が、第一の供給動作の流れである。なお、中間転写ベルト７にトナー像を供給するステーションと、中間転写ベルト７からトナー像を供給されるステーションが、違っていてもよい。
【０１１９】
（第一の供給動作の効果）
図３に示した動作概要をもとに本実施例における第一の供給動作の効果を説明する。具体的には、第一の供給動作を行う構成と、第二の供給動作のみを行う構成（比較例）を比較する。
【０１２０】
（使用するトナー）
プロセスカートリッジを使用して印刷を行い、帯電電荷量が上昇しきったトナー、すなわち、非常に劣化の進んだトナーを用いて行う。新品時の帯電電荷量が−３０μＣ／ｇであったのに対し、使用したトナーは、−６０μＣ／ｇとなり帯電電荷量としては新品時に比べ約２倍の値を示した。このトナーは、図６に示す領域４のトナーに相当する。
【０１２１】
（第一の供給動作の条件）
第一の供給動作時の画像形成条件は、記録材Ｐへの画像形成時と同じ条件にした。すなわち、感光ドラム１の暗部電位を−５００Ｖ、明部電位を−１００Ｖとした。そして、感光ドラム１に明部電位を形成し、現像ローラに−３００Ｖを印加することで、感光ドラム１にトナー像を形成した。一次転写ローラ５に＋３００Ｖの電圧を印加し、中間転写ベルト７へトナー像を転写した。
【０１２２】
下流側のステーションにおいて、感光ドラム１は中間転写ベルト７から離間させた。これにより、トナー像が中間転写ベルト７に保持された状態で、下流側の他のステーションを通過するようにした。なお、ここでは上述のように、下流側のステーションにおいて、一次転写ローラ５に正極性の電圧を印可してもよい。
【０１２３】
二次転写ローラ１８は、中間転写ベルト７から離間させた。これにより、トナー像が、中間転写ベルト７に保持された状態で、二次転写部を通過するようにした。なお、ここでは上述のように、二次転写ローラ１８に負極性の電圧を印可するか、二次転写対向ローラ８に正極性の電圧を印可してもよい。
【０１２４】
中間転写ベルト７によって搬送されたトナーが中間転写ブラシ１１に到達した際、−２００ＶのＤＣ電圧に±６００ＶのＡＣ電圧を重畳した電圧を印加してトナーの電荷量の調整をおこなった。
【０１２５】
接触部を通過したトナー像が、トナーを供給する対象の一次転写部へ来た際に、一次転写部に−３００ＶのＤＣ電圧を印加した。これにより、感光ドラム１へ電気的に移動させ、一次転写部で感光ドラムへトナーを再転写した。
【０１２６】
（比較例の条件）
上述した本実施例の構成と比較するため、比較例を用いた。比較例の電圧設定は、以下の通りとした。
【０１２７】
実施例と同じく、トナー像を形成するときに、感光ドラム１の暗部電位を−５００Ｖ、明部電位を−１００Ｖとした。そして、感光ドラム１の長手に明部電位を形成し、現像ローラ４ａに−３００Ｖを印加することで、感光ドラム１にトナー像を形成した。
【０１２８】
さらに、一次転写ローラ５に−３００Ｖの電圧を印加し、中間転写ベルト７へトナーが転写しないようコントロールした。これにより、中間転写ベルト７を介さず、直接クリーニングブレード６ａへトナーを供給した。
【０１２９】
（その他の条件）
また、本実施の構成と比較例のトナー供給動作は、Ａ４換算で２００枚の印刷を行う毎に実施した。試験を開始してから、２０００枚の印刷を行った。
【０１３０】
（結果）
クリーニング不良に伴うスジの発生、潤滑性能の低下に伴う異音の発生の有無を確認した。さらに、潤滑層の状態を観察した。
【０１３１】
潤滑層の観察結果を図４、潤滑層直前の供給トナーの帯電電荷量やスジや異音の確認結果を図５に示す。
【０１３２】
図４は、感光ドラム１の表面を上面から見た図である。４０３は本実施例の感光ドラム１の表面である。４０４は、比較例の感光ドラム１の表面である。
【０１３３】
クリーニングブレード６ａを取り外した際、感光ドラム１の回転方向（矢印方向）において、クリーニングブレード６ａの上流に潤滑層４０２の形成が確認できる。潤滑層の長手幅は、クリーニングブレード６ａの幅とほぼ一致する。潤滑層の短手幅は、１００ｕｍ前後である。
【０１３４】
本実施例の構成では、長手全域に安定した潤滑層が形成されていた。これは、比較例において劣化が進んでいないトナーを用いた際に形成される潤滑層と同等の状態であった。
【０１３５】
それに対し、比較例の構成では、不安定な潤滑層が形成されていた。本実施例の構成における潤滑層と比較して、短手幅が狭かった。潤滑層が形成されていない箇所もあった。
【０１３６】
図５において、スジや異音の発生のない場合は○、発生がある場合は×の記号を付した。本実施例の構成では、中間転写ブラシ１１を通過した後の帯電電荷量が新品時に近い−３５μＣ／ｇにコントロールされていた。スジと異音は、２０００枚の印刷が行われる間、発生することはなかった。比較例は、感光ドラム１に供給されるトナー像の帯電電荷量が−６０μＣ／ｇとなった。印刷が開始されてから５００枚目くらいから、スジや異音が発生し始めた。２０００枚の印刷が終わるまで、スジや異音は常に発生する状態であった。
【０１３７】
以上、トナー劣化が進んだトナーにおいても中間転写ベルトの帯電制御部（接触部材としての中間転写ブラシ）を通過させ、トナーの帯電電荷量を調整したトナーを用いることで、潤滑層の形成が可能でスジや異音の発生を抑制できた。
【０１３８】
本実施例では、中間転写ブラシ１１に印加する電圧を、ＤＣにＡＣを重畳した電圧とした。しかし、中間転写ブラシ１１にて電荷コントロールを行う上では、交流電圧のみでもよく、また直流電圧のみでもよい。さらに、トナー劣化度によって帯電電荷量が異なる為、中間転写ブラシに印加する電圧を変化させ、適正な電圧値にて帯電コントロールを実施することも有効な手段である。また、本実施例では、ブラシ１１を用いて説明を行ったが、ローラ形状やシート形状であっても同様な効果を得ることが可能となる。
【０１３９】
本実施の構成の説明では、潤滑層を形成するカートリッジへトナーを供給する際、同一のプロセスカートリッジ内のトナーを用いて行う手段を前提に説明を行ったがその限りではない。例えば、ある特定のプロセスカートリッジ内のトナーを用いて、中間転写体ブラシ１１にて帯電コントロールを行い、適宜、各々のプロセスカートリッジにトナーを供給し潤滑層を形成することでも、同様な効果を得ることが可能となる。また、複数のプロセスカートリッジからトナーを供給し、中間転写体ブラシ１１でまとめて電荷コントロールを行った後、各々のプロセスカートリッジに供給し潤滑層を形成することも同様に効果を得ることが可能である。潤滑層形成効果とともに、例えば、トナー残量の少ないステーションからはトナー供給を抑制したりすることで、フルカラーでの印刷がより長くできたりといった、効果も得られる。
【０１４０】
以上説明したように、中間転写ベルト７を介した第一の供給動作を行うことにより、感光ドラム１とクリーニングブレード６ａの当接部に、トナーを供給できる。そして、感光ドラム１とクリーニングブレード６ａの当接部における潤滑性を維持できる。また、劣化したトナーを使った場合であっても、上記効果を得ることができる。
【実施例２】
【０１４１】
実施例１では、トナー劣化が非常に進んだ場合においても、中間転写体ブラシで電荷コントロールを行い、再度感光ドラムへ供給することでクリーニングブレードと感光ドラム間で形成される潤滑層を安定して形成できた。そして、スジや異音の発生を抑制することができた。
【０１４２】
本実施例では、第一の供給動作が実行される頻度が、トナーの劣化状態に応じて異なることが特徴である。
【０１４３】
トナー劣化の進行度に応じて画像形成時に一次転写トナーによる潤滑層の破壊の度合いが異なる。したがって、トナー劣化度に応じて、中間転写ベルトを介し、中間転写体ブラシにて電荷コントロールを行う第一の供給動作の頻度を変化させる。これにより、潤滑層の形成とともにクリーニング性の維持や異音の抑制が図れる。
【０１４４】
本実施例において、制御部１０は、第一の供給動作を第一の頻度と前記第一の頻度と異なる第二の頻度で実行可能である。頻度とは、複数の第一の供給動作の間の、現像ローラ４ａの回転量、感光ドラム１の回転量、画像形成動作を行った記録材の枚数（特定の記録材のサイズ（たとえばＡ４）に換算した枚数）等を意味する。
【０１４５】
制御部１０は、トナーの劣化状態が第一の劣化状態である時に、第一の頻度で第一の供給動作を実行する。制御部１０は、トナーの劣化状態が第二の劣化状態である時に、第二の頻度で第一の供給動作を実行する。第二の劣化状態は、第一の劣化状態よりもトナーの劣化が進んだ状態である。そして、第二の頻度は、第一の頻度と異なる頻度である。以下の説明中、第二の頻度は、第一の頻度よりも高頻度である。
【０１４６】
また、プロセスカートリッジの使用が開始されてからの現像ローラ４ａの累積回転量に基づいて、第一の供給動作の頻度を決めてもよい。
【０１４７】
この場合、制御部１０は、現像ローラ４ａの累積回転量が第一の累積回転量である時に、第一の頻度で第一の供給動作を実行する。制御部１０は、現像ローラ４ａの累積回転量が第二の累積回転量である時に、第二の頻度で第一の供給動作を実行する。第二の累積回転量は、第一の累積回転量よりも多い。そして、第二の頻度は、第一の頻度よりも高頻度である。
【０１４８】
なお、現像ローラ４ａの累積回転量に替えて、感光ドラム１の累積回転量、記録材Ｐの累積印刷枚数（特定のサイズに換算したものを含む）を用いることもできる。また、現像装置に残っているトナーの残量の影響を考慮してもよい。さらに、プロセスカートリッジの駆動時間などを用いることもできる。
【０１４９】
トナーの劣化状態、上記した累積回転量、累積印刷枚数、プロセスカートリッジの駆動時間等と、第一の供給動作の実行頻度の関係は、装置本体１００の記憶装置や、プロセスカートリッジに装着された記憶装置へ、記億しておいてもよい。また、トナーの劣化度を直接測定するものであってもよい。
【０１５０】
トナー劣化度ごとの潤滑層の破壊の度合いについて説明する。トナー劣化度の異なるトナーとしては、実施例１で用いた図６の説明の、領域１と領域２と領域４の３種類のトナーを用いる。
【０１５１】
実験としては、各々のトナーにて中間転写体ブラシ７で電荷コントロールしたトナーを感光ドラム１とクリーニングブレードと６ａの当接部へ供給し、潤滑層を形成した。このとき、中間転写ベルト７を介したトナー供給を行わず、画像形成動作を連続的に実施した。
【０１５２】
記録材のサイズはＡ４とした。そして、潤滑層の破壊の有無と、破壊が起きる場合の印刷枚数を計数した。破壊の判断としては、潤滑層が、図４に示す不安定な状態（４０４）になるかどうかを、観察して判断した。それと同時に、スジと異音の発生枚数も同時に確認した。
【０１５３】
その結果を図７に示す。劣化の進んでいない領域１のトナーを用いた場合、第一の供給動作を行わずに、１００００枚程度印刷動作を行っても、潤滑層の破壊はなかった。
【０１５４】
領域２のトナーでは、第一の供給動作を行わずに画像形成動作を行うと、潤滑層の破壊が緩やかに進行し、２０００枚程で不安定な状態に至った。
【０１５５】
領域４のトナーでは、第一の供給動作を行わずに画像形成動作を行うと、潤滑層の破壊が急激に進み、５００枚程度不安定な状態に至った。
【０１５６】
また、領域２のトナーと領域４のトナーについては、潤滑層が不安定になる前後で、スジの発生や異音の発生も確認された。
【０１５７】
図７の結果より、トナー劣化の進み具合で潤滑層の形成に必要な第一の供給動作のタイミングが異なり、トナーの劣化が進むにつれて高頻度に実施することが望ましいと分かった。
【０１５８】
そこで、トナー劣化に応じた第一の供給動作の頻度を変えた場合、潤滑層の形成と維持について検証した。
【０１５９】
図７の結果より、それぞれのトナー劣化の領域に対する第一の供給動作の頻度を定めた。これを図８に示す。
【０１６０】
領域１の範囲のトナーを用いた場合、第一の供給動作を実施しないようにした。すなわち、中間転写ベルトを介した第一の供給動作は行われない。
【０１６１】
領域２の範囲のトナーを用いた場合、１０００枚に一度、第一の供給動作を行った。
【０１６２】
領域４の範囲のトナーを用いた場合、２００枚に一度、第一の供給動作を行った。
【０１６３】
各頻度で、１００００枚印刷を行った。結果、いずれのトナーを用いた場合も、スジや異音の発生は確認されなかった。また、潤滑層を確認すると、概ね安定した潤滑層が形成されていることが確認された。
【０１６４】
本実施例で説明したように、中間転写ブラシで電荷コントロールを行ったトナーを再度感光ドラムへ供給する第一の供給動作において、トナー劣化の状態に応じて実施頻度を変えることで、常に潤滑層の形成・維持が可能であることを説明した。これにより、スジや異音等の問題を発生することができる。
【０１６５】
また、このようにトナー劣化状態ごとに最適な第一の供給動作を行うことで、適切なタイミングで適切な量を供給することで、動作時間の短縮や不必要なトナーの使用を削減できる。
【０１６６】
本実施例では、トナーの劣化状態に応じて、第一の供給動作の頻度を変えることを説明した。一方、トナーの劣化状態に応じて、制御部１０が、電源１２から中間転写ブラシ１１に印加される電圧を可変とするものであってもよい。
【０１６７】
この場合、電源１２は、少なくとも第一の電圧と、第一の電圧とは異なる第二の電圧を、中間転写ブラシ１１に印可可能である。電源１２は、トナーの劣化状態が第一の劣化状態である時に、中間転写ブラシ１１に第一の電圧を印可する。そして、電源１２は、トナーの劣化状態が第二の劣化状態である時に、中間転写ブラシ１１に第二の電圧を印可する。
【０１６８】
また、電源１２は中間転写ブラシ１１に、現像ローラ４ａの累積回転量が第一の累積回転量である時に、第一の電圧を印可し、トナーの累積回転量が第二の累積回転量である時に、第二の電圧を印可してもよい。第二の累積回転量は、第一の累積回転量よりも多い。
【０１６９】
なお、現像ローラの累積回転量に替えて、感光ドラムの累積回転量、記録材Ｐの累積印刷枚数（特定のサイズに換算したものを含む）を用いることもできる。
【０１７０】
印加する電圧の大きさや極性、種類は、目標とする電荷量に応じて、適宜決めることができる。
【０１７１】
本実施例にて示した方法によれば、トナー劣化に応じて、最適な第一の供給動作を実施することが可能になる。
【符号の説明】
【０１７２】
Ｓ  画像形成装置
１  感光ドラム
２  帯電ローラ
３  スキャナ
４  現像装置
４ａ  現像ローラ
６  クリーニング装置
６ａ  クリーニングブレード
７  中間転写ベルト
５  一次転写ローラ
８  二次転写対向ローラ
１０  制御部（ＣＰＵ）
１１  中間転写ブラシ
１２  電源
１８  二次転写ローラ
１００  装置本体
【図１】
2019045650.tif 000003
【図２】
2019045650.tif 000004
【図３】
2019045650.tif 000005
【図４】
2019045650.tif 000006
【図５】
2019045650.tif 000007
【図６】
2019045650.tif 000008
【図７】
2019045650.tif 000009
【図８】
2019045650.tif 000010
【図９】
2019045650.tif 000011